(57)【要約】      （修正有）【課題】マチ部を折り畳む際に硬貨が挟まり難く、また、挟まった硬貨が外部にこぼれ落ちる虞がない硬貨収納構造を提供する。【解決手段】マチ部１７，１８は側面略扇形状に形成され、一方端部が上記背面板部１４に接合すると共に、他方端部は前面板部１３及び硬貨落下防止板部２０に接合され、上記マチ部の外側面部には、上記マチ部が起立した状態において、上記前面板部との接合線を底辺とする二等辺三角形の一対の等辺に沿って形成された第一の谷折り線２６と、上記二等辺三角形の頂点から、上記底辺に対して垂直方向に沿って上記マチ部の周縁部に向かって形成された第二の谷折り線２９と、上記二等辺三角形の頂点から上記底辺と略平行に上記マチ部の硬貨落下防止板部側端部に向かって形成された山折り線３１とが設けられ、上記前面板部、上記背面板部及び上記マチ部を折り畳んだ場合に、上記第二の谷折り線及び上記山折り線により形成される一対の折り部が上記硬貨落下防止板上を被覆する構成とする。【選択図】図３
0003147193.tif 000002
【実用新案登録請求の範囲】
【請求項１】
前面板部と背面板部がヒンジ部を介して接合され、上記ヒンジ部において二つ折り可能に形成された外面部材と、上記前面板部と背面板部との間に配設され、上記外面部材を拡開した場合に起立して、上記前面板部及び背面板部と共に硬貨収納部を形成する一対のマチ部と、上記前面板部の反ヒンジ部側端部に延設され、上記外面部材を拡開した場合に上記前面板部に対して起立する硬貨落下防止板部とを備え、上記前面板部と上記背面板部とは、硬貨出入れ時には上記ヒンジ部を介して上記一対のマチ部と共に拡開し、硬貨収納時には折り畳まれる硬貨収納構造であって、
上記マチ部は側面略扇形状に形成され、一方端部が上記背面板部に接合すると共に、他方端部は上記前面板部及び上記硬貨落下防止板部に接合され、
上記マチ部の外側面部には、上記マチ部が起立した状態において、上記前面板部との接合線を底辺とする二等辺三角形の一対の等辺に沿って形成された第一の谷折り線と、上記二等辺三角形の頂点から、上記底辺に対して垂直方向に沿って上記マチ部の周縁部に向かって形成された第二の谷折り線と、上記二等辺三角形の頂点から上記底辺と略平行に上記マチ部の硬貨落下防止板部側端部に向かって形成された山折り線とが設けられ、
上記前面板部、上記背面板部及び上記マチ部を折り畳んだ場合に、上記第二の谷折り線及び上記山折り線により形成される一対の折り部が上記硬貨落下防止板上を被覆することを特徴とする硬貨収納構造。
【請求項２】
上記硬貨落下防止板部の反前面板部側端縁部は、起立時に上方に向かって膨出する略円弧状に形成されていることを特徴とする請求項１記載の硬貨収納構造。
【請求項３】
上記背面板部の反ヒンジ部側端部には、上記マチ部を折り畳んだ状態において、上記硬貨収納部の開口部を被覆する蓋部が延設され、上記蓋部の内側面部及び上記前面板部の外側面部には上記蓋部の内側面部と上記前面板部の外側面部とを固定する固定部材が配設されていることを特徴とする請求項１記載の硬貨収納構造。
【請求項４】
請求項１〜３いずれか１項記載の硬貨収納構造を備えることを特徴とする財布。
【考案の詳細な説明】
【技術分野】
【０００１】
本考案は、硬貨収納構造及び上記硬貨収納構造を備える財布に関する。
【背景技術】
【０００２】
前面板部と背面板部がヒンジ部を介して接合され、上記ヒンジ部において二つ折り可能に形成された外面部材と、上記前面板部と背面板部との間に配設され、上記外面部材を拡開した場合に起立して、硬貨収納部を形成する一対のマチ部と、上記前面板部の反ヒンジ部側端部に延設され、上記外面部材を拡開した場合に上記前面板部に対して起立する硬貨落下防止板部とを備える硬貨収納構造は従来から提案されている（特許文献１）。
【０００３】
図５に示すように、特許文献１に係る硬貨収納構造７０は、前面板部７１と背面板部７２がヒンジ部７３を介して接合され、上記ヒンジ部７３において二つ折り可能に形成された外面部材７４と、上記前面板部７１と背面板部７２との間に配設され、上記外面部材７４を拡開した場合に起立して、硬貨収納部７５を形成する一対のマチ部７６、７７と、上記前面板部７１の反ヒンジ部側端部７８に延設され、上記外面部材７４を拡開した場合に上記前面板部７１に対して起立する硬貨落下防止板部７９とから形成されている。
上記マチ部７６、７７は、起立した状態において、上記硬貨落下防止板部７９に向かって次第に起立時の高さが低くなるように形成され、上記マチ部７６、７７の外側面部には、上記前面板部７１との接合線８０を底辺とする二等辺三角形の一対の等辺に沿って形成された谷折り線８１、８２が設けられている。
また、上記二等辺三角形の頂点８３は、上記マチ部の端縁部８４に位置している。
【０００４】
図５に示すように、上記特許文献１に係る硬貨収納構造７０においては、上記外面部材７４を拡開した場合に、上記前面板部７１を底面とし、上部が開口する箱状の硬貨収納部７５が形成されるため、収納した硬貨（図５には図示せず）を取り出し易く、且つ上記硬貨落下防止板部７９によって、上記外面部材７４を拡開した場合であっても、上記硬貨がこぼれ落ちる虞が少ないという利点を有する。
しかしながら、図６に示すように、上記マチ部７６、７７を上記谷折り線８１、８２に沿って図中矢印Ａの方向に折り畳んだ場合に、収納した硬貨８５が上記硬貨落下防止板部７９の内側面部８６と、上記マチ部７６、７７の内側面部８７、８８の間に挟まり易く、図６に示すように、上記マチ部７６、７７の内側面部８７、８８と上記硬貨落下防止板部７９の内側面部８６の間に硬貨８５が挟まった状態で、再度上記外面部材７４を拡開させた場合に、上記硬貨８５が上記マチ部７６、７７の外側にこぼれ落ちてしまう虞があるという不具合を有していた。
【０００５】
【特許文献１】実開平７−２０８３０号公報
【考案の開示】
【考案が解決しようとする課題】
【０００６】
本考案の課題は、上記の不具合を解決し、マチ部を折り畳む際に硬貨が挟まり難く、また仮に硬貨が挟まった場合であっても、再度上記外面部材を拡開させる場合に、挟まった硬貨が外部にこぼれ落ちる虞がない硬貨収納構造を提供することにある。
【課題を解決するための手段】
【０００７】
上記課題を解決するために、請求項１記載の硬貨収納構造にあっては、前面板部と背面板部がヒンジ部を介して接合され、上記ヒンジ部において二つ折り可能に形成された外面部材と、上記前面板部と背面板部との間に配設され、上記外面部材を拡開した場合に起立して、上記前面板部及び背面板部と共に硬貨収納部を形成する一対のマチ部と、上記前面板部の反ヒンジ部側端部に延設され、上記外面部材を拡開した場合に上記前面板部に対して起立する硬貨落下防止板部とを備え、上記前面板部と上記背面板部とは、硬貨出入れ時には上記ヒンジ部を介して上記一対のマチ部と共に拡開し、硬貨収納時には折り畳まれる硬貨収納構造であって、上記マチ部は側面略扇形状に形成され、一方端部が上記背面板部に接合すると共に、他方端部は上記前面板部及び上記硬貨落下防止板部に接合され、上記マチ部の外側面部には、上記マチ部が起立した状態において、上記前面板部との接合線を底辺とする二等辺三角形の一対の等辺に沿って形成された第一の谷折り線と、上記二等辺三角形の頂点から、上記底辺に対して垂直方向に沿って上記マチ部の周縁部に向かって形成された第二の谷折り線と、上記二等辺三角形の頂点から上記底辺と略平行に上記マチ部の硬貨落下防止板部側端部に向かって形成された山折り線とが設けられ、上記前面板部、上記背面板部及び上記マチ部を折り畳んだ場合に、上記第二の谷折り線及び上記山折り線により形成される一対の折り部が上記硬貨落下防止板上を被覆することを特徴とする。
【０００８】
従って、上記前面板部、上記背面板部及び上記マチ部を折り畳む場合に、上記マチ部の内側面部において、上記第二の谷折り線及び上記山折り線により形成される一対の折り部が上記硬貨落下防止板上を被覆するため、上記硬貨落下防止板部と上記マチ部との間に隙間が生じ難く、上記硬貨落下防止板部と上記マチ部の内側面部との間に硬貨が挟まり難い。
また、仮に硬貨が挟まった場合であっても、上記外面部材を再び拡開すると、上記第二の谷折り線及び上記山折り線によって上記マチ部の内側面部に形成された折り部に沿って、上記マチ部の内方側に、挟まっていた硬貨が滑り落ちる。
【０００９】
また請求項２記載の硬貨収納構造にあっては、上記硬貨落下防止板部の反前面板部側端縁部は、起立時に上方に向かって膨出する略円弧状に形成されていることを特徴とする。
【００１０】
従って、マチ部を折り畳んだ場合に、上記硬貨落下防止板部の反前面板部側端縁部が上記マチ部の山折り線沿って、上記マチ部の内側面部に密着する。
【００１１】
また請求項３記載の硬貨収納構造にあっては、上記背面板部の反ヒンジ部側端部には、上記マチ部を折り畳んだ状態において、上記硬貨収納部の開口部を被覆する蓋部が延設され、上記蓋部の内側面部及び上記前面板部の外側面部には上記蓋部の内側面部と上記前面板部の外側面部とを固定する固定部材が配設されていることを特徴とする。
【００１２】
従って、上記固定部材によって、上記蓋部の内側面部と上記蓋部の内側面部が密着して固定され、上記硬貨収納部が封止される。
【００１３】
また、請求項４に記載の財布は、請求項１〜３いずれか１項記載の硬貨収納構造を備えることを特徴とする。
【考案の効果】
【００１４】
請求項１記載の硬貨収納構造にあっては、前面板部と背面板部がヒンジ部を介して接合され、上記ヒンジ部において二つ折り可能に形成された外面部材と、上記前面板部と背面板部との間に配設され、上記外面部材を拡開した場合に起立して、上記前面板部及び背面板部と共に硬貨収納部を形成する一対のマチ部と、上記前面板部の反ヒンジ部側端部に延設され、上記外面部材を拡開した場合に上記前面板部に対して起立する硬貨落下防止板部とを備え、上記前面板部と上記背面板部とは、硬貨出入れ時には上記ヒンジ部を介して上記一対のマチ部と共に拡開し、硬貨収納時には折り畳まれる硬貨収納構造であって、上記マチ部は側面略扇形状に形成され、一方端部が上記背面板部に接合すると共に、他方端部は上記前面板部及び上記硬貨落下防止板部に接合され、上記マチ部の外側面部には、上記マチ部が起立した状態において、上記前面板部との接合線を底辺とする二等辺三角形の一対の等辺に沿って形成された第一の谷折り線と、上記二等辺三角形の頂点から、上記底辺に対して垂直方向に沿って上記マチ部の周縁部に向かって形成された第二の谷折り線と、上記二等辺三角形の頂点から上記底辺と略平行に上記マチ部の硬貨落下防止板部側端部に向かって形成された山折り線とが設けられ、上記前面板部、上記背面板部及び上記マチ部を折り畳んだ場合に、上記第二の谷折り線及び上記山折り線により形成される一対の折り部が上記硬貨落下防止板上を被覆することから、上記硬貨落下防止板部と上記マチ部との間に隙間が生じ難く、マチ部を折り畳む際に硬貨が挟まり難くなる。
また仮に硬貨が挟まった場合であっても、再度上記外面部材を拡開させる場合に、上記山折り線によって上記マチ部の内側面部に形成された折り部に沿って、上記マチ部の内方側に、挟まっていた硬貨が滑り落ちるため、硬貨が外部にこぼれ落ちる虞がない硬貨収納構造を提供することが可能となる。
【００１５】
また請求項２記載の硬貨収納構造にあっては、上記硬貨落下防止板部の反前面板部側端縁部は、起立時に上方に向かって膨出する略円弧状に形成されていることから、請求項１の硬貨収納構造と比して、より上記硬貨落下防止板部とマチ部との間に隙間が生じ難くなり、上記硬貨落下防止板部とマチ部との間に硬貨が挟まり難くなる。
【００１６】
また、請求項３記載の硬貨収納構造にあっては、上記背面板部の反ヒンジ部側端部には、上記マチ部を折り畳んだ状態において、上記硬貨収納部の開口部を被覆する蓋部が延設され、上記蓋部の内側面部及び上記前面板部の外側面部には上記蓋部の内側面部と上記前面板部の外側面部とを固定する固定部材が配設されていることから、請求項１の硬貨収納構造と比して、収納した硬貨がより外部にこぼれ落ちる虞がない硬貨収納構造を提供することが可能となる。
【００１７】
また、請求項４記載の財布は、請求項１〜３いずれか１項記載の硬貨収納構造を備えることから、請求項１〜３記載の各効果を有する硬貨収納構造を有する様々な形態の財布を提供することが可能となる。
【考案を実施するための最良の形態】
【００１８】
以下、本考案に係る硬貨収納構造を有する硬貨収納部を備える折畳み式財布を例として、本考案の実施の形態について図面を用いて説明する。
図３に示すように、本考案に係る硬貨収納構造１１を有する硬貨収納部１２を有する財布１０は、前面板部１３と背面板部１４がヒンジ部１５を介して接合され、上記ヒンジ部１５において二つ折り可能に形成された外面部材１６と、上記前面板部１３と背面板部１４との間に配設され、上記外面部材１６を拡開した場合に起立して、上記前面板部１３及び背面板部１４と共に硬貨収納部１２を形成する一対のマチ部１７，１８と、上記前面板部１３の反ヒンジ部側端部１９に延設され、上記外面部材１６を拡開した場合に上記前面板部１３に対して起立する硬貨落下防止板部２０とを備え、上記前面板部１３と上記背面板部１４とは、硬貨出入れ時には上記ヒンジ部１５を介して上記一対のマチ部１７，１８と共に拡開し、硬貨収納時には折り畳まれる硬貨収納構造１１であって、上記マチ部１７，１８は側面略扇形状に形成され、一方端部２１が上記背面板部１４に接合すると共に、他方端部２２は上記前面板部１３及び上記硬貨落下防止板部２０に接合され、上記マチ部１７，１８の外側面部２３、２４には、上記マチ部１７，１８が起立した状態において、上記前面板部１３との接合線２５を底辺とする二等辺三角形の一対の等辺に沿って形成された第一の谷折り線２６，２７と、上記二等辺三角形の頂点２８から、上記底辺に対して垂直方向に沿って上記マチ部１７，１８の周縁部に向かって形成された第二の谷折り線２９と、上記二等辺三角形の頂点２８から上記底辺と略平行に上記マチ部１７，１８の硬貨落下防止板部側端部３０に向かって形成された山折り線３１とが設けられ、上記前面板部１３、上記背面板部１４及び上記マチ部１７，１８を折り畳んだ場合に、上記第二の谷折り線２９及び上記山折り線３１により形成される一対の折り部３２，３３が上記硬貨落下防止板部２０上を被覆する。
また、上記硬貨落下防止板部２０の反前面板部側端縁部３４は、起立時に上方に向かって膨出する略円弧状に形成されている。
また、上記背面板部１４の反ヒンジ部側端部３５には、上記マチ部１７，１８を折り畳んだ状態において、上記硬貨収納部１２の開口部３６を被覆する蓋部３７が延設され、上記蓋部３７の内側面部３８及び上記前面板部１３の外側面部３９には上記蓋部３７の内側面部３８と上記前面板部１３の外側面部３９とを固定する固定部材４０が配設されている。
【実施例】
【００１９】
上記形態における実施例の構成について、図面を用いて詳述する。
図１は、本実施例に係る硬貨収納構造１１を有する硬貨収納部１２備える財布１０を見開き状態とし、且つ硬貨収納部１２の蓋部３７を閉止した状態の全体斜視図を示している。
図１に示すように、本実施例に係る財布１０は、皮革素材からなる、二つ折り可能な全体略長方形の財布本体部４１から形成されている。
上記財布本体部４１の幅方向一方端部には、長さ方向に沿って開口する紙幣ポケット部４２が形成されると共に、上記財布本体部４１の二つ折り一方半部４３の内側面部４４には、幅方向に沿って開口する複数のポケット部４５が長さ方向に沿って配設されると共に、二つ折り他方半部４６の、上記財布本体部４１の長さ方向中央部側端部４７には、幅方向に沿ってポケット部４８が配設されている。
また、本実施例に係る硬貨収納構造１１を有する硬貨収納部１２は、上記ポケット部４８に、背面板部１４の外側面部が固定されて配設されている。
【００２０】
また、図２は本実施例に係る財布１０の硬貨収納構造１１を構成する、前面板部１３と背面板部１４とを拡開し、一対のマチ部１７，１８、及び硬貨落下防止用板部２０とを起立させた状態を示す全体斜視図である。
図２に示すように、上記前面板部１３、上記背面板部１４、上記一対のマチ部１７，１８、及び上記硬貨落下防止用板部２０で画成された空間によって、硬貨収納部１２が形成されている。
また、上記固定部材４０は、上記背面板部１４に延設された蓋部３７の内側面部３８に形成された固定部材雄部４９と、上記前面板部１３の外側面部３９に形成された固定部材雌部５０とから形成されている。
【００２１】
上記構成における本実施例の作用について説明する。
図３に示すように、本実施例に係る財布１０の硬貨収納部１２を折り畳む場合は、上記一対のマチ部１７，１８の上記第一の谷折り線２６，２７と上記第二の谷折り部２９を、上記硬貨収納部１２の内方に向かって折り込むと共に、上記一対のマチ部１７，１８の上記山折り線３１を、上記硬貨収納部１２の外方に向かって突出するように折り込むと共に、上記硬貨落下防止板用板部２０を上記硬貨収納部１２の内方に向かって折り込む。
更に図４に示すように、上記山折り線３１を折り込むことによって、上記マチ部１７，１８の内方側に形成された一対の折り部３２，３３（図４には図示せず）に、上記硬貨落下防止用板部２０の反前面板部側端縁部３４を当接させて、更に上記折り部３２，３３（図４には図示せず）を折り畳むことによって、上記硬貨落下防止用板部２０は上記折り部３２，３３（図４には図示せず）によって被覆される。
上記の状態で、上記固定部材雄部４９と上記固定部材雌部５０を嵌合させることによって、上記蓋部３７によって、上記硬貨収納部１２の開口部３６が閉止される。
【００２２】
従って、図４に示すように、上記マチ部１７，１８の折り部３２，３３に収納された硬貨が挟まりにくく、万一挟まった場合であっても、図３に示すように、上記外面部材１６を拡開させる操作の途中に、マチ部１７，１８に形成された折り部３２，３３に沿って、挟まった硬貨が上記硬貨収納部１２の内方に落下するため、外部に硬貨が落下することがない。
【００２３】
なお、本実施例においては、上記固定部材４０が固定部材雄部４９と固定部材雌部５０からなる所謂スナップボタンで形成しているが、面ファスナー、ホック等の固定手段を用いた場合であっても、本実施例の作用及び効果は同様である。
また、本実施例に係る財布１０は皮革部材の他、ビニール素材等の柔軟性を有する素材を用いることも可能である。
【産業上の利用可能性】
【００２４】
本考案の硬貨収納構造は、小銭入れ及び上記硬貨収納構造を備える財布等に広く適用が可能である。
【図面の簡単な説明】
【００２５】
【図１】本考案に係る硬貨収納構造の一実施の形態を示し、実施例の形態おいて、本実施例に係る硬貨収納構造を有する硬貨収納部備える財布を見開き状態とし、且つ硬貨収納部の蓋部を閉止した状態の全体斜視である。
【図２】本考案に係る硬貨収納構造の一実施の形態を示し、実施例の形態おいて、本実施例に係る財布の硬貨収納構造を構成する、前面板部と背面板部とを拡開し、一対のマチ部及び硬貨落下防止用板部とを起立させた状態を示す全体斜視図である。
【図３】本考案に係る硬貨収納構造の一実施の形態を示し、実施例の形態において、本考案に係る硬貨収納構造の硬貨収納部の折畳み作業中途の状態を示す側面拡大図である。
【図４】本考案に係る硬貨収納構造の一実施の形態を示し、実施例の形態において、本考案に係る硬貨収納構造の硬貨収納部の折畳んだ状態を示す側面拡大図である。
【図５】従来の硬貨収納構造を有する財布の硬貨収納部を拡開させた状態を示す全体斜視図である。
【図６】従来の硬貨収納構造を有する財布の硬貨収納部の折畳み作業中途の状態を示す全体斜視図である。
【符号の説明】
【００２６】
１０  財布
１１  硬貨収納構造
１２  硬貨収納部
１３  前面板部
１４  背面板部
１５  ヒンジ部
１６  外面部材
１７  マチ部
１８  マチ部
１９  前面板部の反ヒンジ部側端部
２０  硬貨落下防止板部
２１  マチ部の一方側端部  
２２  マチ部の他方側端部
２３  マチ部の外側面部
２４  マチ部の外側面部
２５  接合線
２６  第一の谷折り線
２７  第一の谷折り線
２８  二等辺三角形頂点
２９  第二の谷折り線
３０  マチ部の硬貨落下防止板部側端部
３１  山折り線
３２  折り部
３３  折り部
３４  硬貨落下防止用板部の反前面板部側端縁部
３５  背面板部の反ヒンジ部側端部
３６  硬貨収納部の開口部
３７  蓋部
３８  蓋部の内側面部
３９  前面板部の外側面部
４０  固定部材
４１  財布本体部
４２  紙幣ポケット部
４３  財布本体部の二つ折り一方半部
４４  二つ折り一方半部の内側面部
４５  ポケット部
４６  財布本体部の二つ折り他方半部
４７  財布本体部の長さ方向中央部側端部
４８  ポケット部
４９  固定部材雄部
５０  固定部材雌部
７０  硬貨収納構造
７１  前面板部
７２  背面板部
７３  ヒンジ部
７４  外面部材
７５  硬貨収納部
７６  マチ部
７７  マチ部
７８  前面板部の反ヒンジ部側端部
７９  硬貨落下防止板部
８０  接合線
８１  谷折り線
８２  谷折り線
８３  二等辺三角形頂点
８４  マチ部の端縁部
８５  硬貨
８６  硬貨落下防止部の内側面部
８７  マチ部の内側面部
８８  マチ部の内側面部
【図１】
0003147193.tif 000003
【図２】
0003147193.tif 000004
【図３】
0003147193.tif 000005
【図４】
0003147193.tif 000006
【図５】
0003147193.tif 000007
【図６】
0003147193.tif 000008